(57)【要約】【課題】キャスタ装置の台座の強度を保ちつつ、部材点数が少なく、組立てが簡略化であり、低コストで量産できる物品収納庫を提供する。【解決手段】一対の立設板４，４と、該一対の立設板４，４の間に配置される底板６と、を備え、少なくとも一面が開口した箱状を成し、物品を収納可能な筐体２と、該筐体２を水平移動させるキャスタ装置７，７，７，７と、を備える移動式収納ボックス１であって、移動式収納ボックス１は、立設板４において水平方向外側に延びるフランジ片４１と、底板６の端縁部と、が互いに上下に重合した状態で上下方向に固定手段８により固定され、該重合部９にキャスタ装置７が備えられている。【選択図】図１
2020022582.tif 000002
【特許請求の範囲】
【請求項１】
一対の立設板と、該一対の立設板の間に配置される底板と、を備え、少なくとも一面が開口した箱状を成し、物品を収納可能な筐体と、該筐体を水平移動させるキャスタ装置と、を備える移動式収納ボックスであって、
前記移動式収納ボックスは、前記立設板において水平方向外側に延びるフランジ片と、前記底板の端縁部と、が互いに上下に重合した状態で上下方向に固定手段により固定され、該重合部に前記キャスタ装置が備えられていることを特徴とする移動式収納ボックス。
【請求項２】
前記底板の端縁部は、その水平方向の外側両端において、上方に延びる垂直片と、該垂直片から水平方向の外側に延びる水平片と、を備えており、該水平片と前記立設板のフランジ片とが上下に重合していることを特徴とする請求項１に記載の移動式収納ボックス。
【請求項３】
前記立設板は、前記底板の左右に一対配置されており、前記フランジ片の左右端において、下方に延びた係止片が備えられていることを特徴とする請求項１または請求項２に記載の移動式収納ボックス。
【請求項４】
前記キャスタ装置は、前記固定手段によって前記重合部に固定されていることを特徴とする請求項１ないし３のいずれかに記載の移動式収納ボックス。
【請求項５】
前記立設板の前記フランジ片と、前記底板の端縁部と、には互いの位置を決めるための位置決め手段が備えられていることを特徴とする請求項１ないし４のいずれかに記載の移動式収納ボックス。
【請求項６】
前記立設板は、一枚の鋼版から折曲げ加工により前記フランジ片が構成されており、前記底板は、一枚の鋼版から折曲げ加工により前記垂直片及び前記水平片が構成されていることを特徴とする請求項２に記載の移動式収納ボックス。
【発明の詳細な説明】
【技術分野】
【０００１】
本発明は、商品陳列棚等の商品陳列什器の下部空間に引出し可能に格納される移動式収納ボックスに関する。
【背景技術】
【０００２】
従来、商品陳列棚等の商品陳列什器の下部空間に移動式収納ボックスを配置して在庫商品をストックしておき商品陳列什器に商品を適時補充できるようにしていた。ストッカ（移動式収納ボックス）として筐体の前方に２つのキャスタ（キャスタ装置）が配置された抽斗状のもの（例えば特許文献１参照）や、筐体に４つのキャスタを備え、商品陳列棚から独立して自立・水平移動できるもの（例えば特許文献２参照）等がある。
【０００３】
特許文献１及び２によれば、筐体の底板の下面には、左右または前後に一対の逆ハット型の強度部材が溶接固定されており、強度部材自身が強度の高いキャスタ台座として機能するようになっており、これら該一対の強度部材の下方に２つまたは４つのキャスタが上下方向からボルトの螺合により固定されている。このような従来の発明においては、ストッカの底板の下面にキャスタを配置する場合、逆ハット型等の強度部材は重要な部材であると考えられる。
【先行技術文献】
【特許文献】
【０００４】
【特許文献１】特許第３３４９０００号公報（第３頁、第３図）
【特許文献２】特許第５３７８７４０号公報（第５頁、第２図）
【発明の概要】
【発明が解決しようとする課題】
【０００５】
しかしながら、特許文献１及び２にあっては、逆ハット型等の強度部材を用いることにより、ストッカの部品点数が増えるという問題がある。また、強度部材を底板の下面に対して溶接固定する必要があることから、その製造工程が煩雑となる。これらの結果、ストッカの量産コストが高くなる虞がある。
【０００６】
本発明は、このような問題点に着目してなされたもので、キャスタ装置の台座の強度を保ちつつ、部材点数が少なく、組立てが簡略化であり、低コストで量産できる物品収納庫を提供することを目的とする。
【課題を解決するための手段】
【０００７】
前記課題を解決するために、本発明の移動式収納ボックスは、
一対の立設板と、該一対の立設板の間に配置される底板と、を備え、少なくとも一面が開口した箱状を成し、物品を収納可能な筐体と、該筐体を水平移動させるキャスタ装置と、を備える移動式収納ボックスであって、
前記移動式収納ボックスは、前記立設板において水平方向外側に延びるフランジ片と、前記底板の端縁部と、が互いに上下に重合した状態で上下方向に固定手段により固定され、該重合部に前記キャスタ装置が備えられていることを特徴としている。
この特徴によれば、立設板のフランジ片と、底板の端縁部と、が上下に重合しているため、重合部を強度の高いキャスタ装置の台座として利用できるばかりか、重合部にキャスタ装置が固定されていることから、部材点数を抑えられ、組立てが容易となる。
【０００８】
前記底板の端縁部は、その水平方向の外側両端において、上方に延びる垂直片と、該垂直片から水平方向の外側に延びる水平片と、を備えており、該水平片と前記立設板のフランジ片とが上下に重合していることを特徴としている。
この特徴によれば、底板の水平方向の外側両端が段状を成しているため、底板の強度が高くなるばかりか、水平片が底面より上方に位置することから、キャスタ装置によって筐体を支持した際、底板は水平片よりも床面に近いため、筐体の収納スペースが上下に広い。
【０００９】
前記立設板は、前記底板の左右に一対配置されており、前記フランジ片の左右端において、下方に延びた係止片が備えられていることを特徴としている。
この特徴によれば、立設板のフランジ片の左右端に係止片が備えられているため、底板の端縁部と、の左右方向の位置決めが容易となる。
【００１０】
前記キャスタ装置は、前記固定手段によって前記重合部に固定されていることを特徴としている。
この特徴によれば、キャスタ装置は、立設板のフランジ片と底板の端縁部と一緒に同一の固定手段により固定されるため、部材点数を抑えることができ、組立てが容易となる。
【００１１】
前記立設板の前記フランジ片と、前記底板の端縁部と、には互いの位置を決めるための位置決め手段が備えられていることを特徴としている。
この特徴によれば、２つの位置決め手段により、立設板のフランジ片と底板の端縁部との相対位置が合わせられた重合状態とすることができるから、固定手段による固定が容易となる。
【００１２】
前記立設板は、一枚の鋼版から折曲げ加工により前記フランジ片が構成されており、前記底板は、一枚の鋼版から折曲げ加工により前記垂直片及び前記水平片が構成されていることを特徴としている。
この特徴によれば、立設板のフランジ片及び係止片一対と、底板の垂直片及び水平片とが、一枚の鋼版から折曲げ加工されているため、曲げ強度が高く、部材点数を抑えることができる。
【図面の簡単な説明】
【００１３】
【図１】本発明の実施例における移動式収納ボックスの商品陳列棚からの引出し状態を示す斜視図である。
【図２】移動式収納ボックスの構造を示す斜視図である。
【図３】移動式収納ボックスの構造を示す分解斜視図である。
【図４】移動式収納ボックスの構造の一部を切り欠いて示す正面図である。
【図５】移動式収納ボックスの構造を示す側面図である。
【図６】移動式収納ボックスの構造を示す下面図である。
【図７】図６におけるＡ−Ａ線について、上下反転して示した拡大断面図である。
【図８】図６におけるＢ−Ｂ線について、上下反転して示した、キャスタ取付け前の拡大断面図である。
【図９】は、実施例の変形例１を示す正面視における拡大断面図である。
【図１０】は、実施例の変形例２を示す正面視における拡大断面図である。
【図１１】は、実施例の変形例３を示す正面視における拡大断面図である。
【発明を実施するための形態】
【００１４】
本発明に係る移動式収納ボックスを実施するための形態を実施例に基づいて以下に説明する。
【実施例】
【００１５】
実施例に係る移動式収納ボックスにつき、図１から図７を参照して説明する。以下、図１の紙面手前側及び図５の紙面左側を移動式収納ボックスの正面側（前方側）とし、その前方側から見たときの上下左右方向を基準として説明する。
【００１６】
移動式収納ボックス１は、図１に示されるように、例えばスーパーやコンビニエンスストア等に用いられる商品陳列什器１０の最も下方に設けられ、下向きコ字状を成す基台１１と床との間の下部空間に格納され、必要に応じて出し入れして用いられる。
【００１７】
図２，３に示されるように、移動式収納ボックス１は、上面が開口した箱状を成し、物品を収納可能な鋼板製の筐体２に４箇所に固定されたキャスタ７，７，７，７（キャスタ装置）によって床に対し支持され、基台１１への出し入れが容易となっている。筐体２は、左右一対の側面板４，４（立設板）と、底板６と、前面板３と、後面板５と、によって主に構成されている。
【００１８】
前面板３には、その上端において折曲げ加工により側面視略倒立Ｌ字状を成す取っ手３１が備えられている（図２，３，４，５参照）。
【００１９】
側面板４は、垂直方向に延びる主側面部４０と、その下端から左右外側に延びるフランジ片４１と、該フランジ片４１から下方に延びる係止片４２と、を有する。また、フランジ片４１には４つのリベット孔４４，４４，４４，４４が形成されており、さらに図２の拡大図に示されるように、フランジ片４１において３辺が切られて構成される略矩形状の逆止爪４３（位置決め手段）は、下方に押し込まれ、後方に突出し、側面視略Ｌ字状をなしている。尚、フランジ片４１と係止片４２は折曲げ加工によって構成されている。
【００２０】
後面板５は一対の側面板４，４と一体であり、後面板５と一対の側面板４，４は一枚の鋼板を折曲げ加工により構成されている（図３参照）。
【００２１】
底板６は、水平方向に延びる主底部６０と、その左右端から上方に延びる垂直片６１と、該垂直片６１から左右外側に延び、側面板４のフランジ片４１と左右略同寸の水平片６２と、を有する。また、水平片６２には４つのリベット孔６４，６４，６４，６４と、係着孔６３（位置決め手段）と、が形成されている。
【００２２】
また、底板６の後方端において、上方に延びる背規制片６５が備えられており、背規制片６５の略半分の高さ位置では、わずかに後方に折れて上方に折れるような段状を成す背段部６６が備えられている。尚、底板６における垂直片６１と水平片６２と背規制片６５と背段部６６とは、折曲げ加工によって構成される。
【００２３】
キャスタ７は、床に接する車輪７１と、筐体２に接し、略矩形状を成す固定片７３と、該車輪７１と固定片７３との間に配置される支持体７２と、該支持体７２と車輪７１とを接続する車軸７５と、を備えている。固定片７３には、前後に所定間隔離れた２つのリベット孔７４，７４が形成されている。尚、４つのキャスタ７，７，７，７は構造が略同一であるため、以後特段の断りがない限り、１つのキャスタ７の構造についてのみ説明する。
【００２４】
移動式収納ボックス１の組立て手順について説明する。図６，７に示されるように、側面板４のフランジ片４１の逆止爪４３を、下方に配置される底板６の水平片６２の係着孔６３に入れ、前方から後方に向けてスライドさせることで係着固定され、フランジ片４１と水平片６２とが仮固定されながら上下に接した状態で重合した重合部９が構成される（図８参照）。尚、逆止爪４３を係着孔６３に係着固定させる際には、一体化した側面板４及び後面板５を底板６に対して後方へ相対移動させると、底板６の背規制片６５の前面が後面板５の下端部の後面に当接して前後の位置が所定位置に規制され、リベット孔４４，６４，７４の前後位置がそろう。
【００２５】
次いで、図８に示す状態から、キャスタ７の固定片７３を重合部９（水平片６２）の下面に当接させ、リベット孔４４，４４とリベット孔６４，６４とリベット孔７４，７４とに上方からリベット８，８を挿入してカシメることにより、固定片７３が重合部９に固定される（図７参照）。
【００２６】
前面板３は、図示しないネジにより側面板４，４及び底板６に対して固定される。尚、ネジによる固定以外に、係止手段による係止や、溶接固定であってもよい。また、前面板３は側面板４，４または底板６に固定されるものでもよい。
【００２７】
以上説明したように、キャスタ７は重合部９の下方で固定されている。これによれば、重合部９は側面板４のフランジ片４１と、底板６の水平片６２と、が上下に重合して構成されているため、重合部９を強度の高いキャスタ７の台座として利用できるばかりか、重合部９にキャスタ７が固定されていることから、部材点数を抑えられ、組立てが容易となる。
【００２８】
また、キャスタ７は、重合部９と一緒に同一のリベット８により固定されているため、部材点数を抑えることができ、組立てが容易となる。
【００２９】
また、重合部９は、側面板４のフランジ片４１と、底板６の水平片６２と、が互いに上下に重合している。これによれば、底板６の左右方向の外側両端が段状を成しているため、底板６の強度が高くなるばかりか、水平片６２が筐体２の底面より上方に位置することから、キャスタ７，７，７，７によって筐体２を支持した際、底板６は水平片６２よりも床面に近いため、筐体２の収納スペースが上下に広い。
【００３０】
また、側面板４は、そのフランジ片４１の左右端において、下方に延びた係止片４２が備えられていることから、底板６の水平片６２との左右方向の位置決めが容易となる。
【００３１】
また、側面板４のフランジ片４１の逆止爪４３を、下方に配置される底板６の水平片６２の係着孔６３に係着固定させることで、側面板４のフランジ片４１と底板６の水平片６２との相対位置が合わせられた重合状態とすることができるから、固定手段による固定が容易となる。
【００３２】
また、底板６は、その後方端において上方に延びた背規制片６５が備えられている。これによれば、側面板４のフランジ片４１の逆止爪４３を底板６の水平片６２の係着孔６３に係着固定させると、背規制片６５の前面が後面板５の下端部の後面に当接し、前後で重合することから、該当接部における強度を高め、部材点数を抑えることができる。
【００３３】
また、後面板５は、一対の側面板４，４と一体であり、一枚の鋼板を折曲げ加工により構成されているため、強度を保ちつつ、部材点数を抑えることができる。
【００３４】
また、前面板３の取っ手３１と、側面板４のフランジ片４１及び係止片４２と、底板６の垂直片６１、水平片６２、背規制片６５及び背段部６６と、は折曲げ加工によって構成されているため、強度を保ちつつ、部材点数を抑えることができる。
【００３５】
また、前面板３は、正面視で一対の側面板４，４の係止片４２，４２を覆うように左右に延びている。これによれば、前面板３によって左右のリベット８，８と、重合部９，９と、係止片４２，４２と、を正面視で確実に隠すことができ、美観に優れる（図４参照）。
【００３６】
実施例の変形例について説明する。なお、前記実施例に示される構成部分と同一のものについては、同一符号を付して重複する説明を省略する。変形例１として図９に示されるように、重合部９はリベット８ａによって固定され、キャスタ７はスポット溶接８１ａにより水平片６２の下面に固定されている。このように、キャスタ７は別の固定手段によって重合部９に対し固定されていてもよい。
【００３７】
変形例２として図１０に示されるように、側面板４ｂにおいて、フランジ４１ｂが主側面部４０ｂの下端から左右方向内側に延びていてもよい。これによれば、キャスタ７が筐体２の左右方向内側に配置されるため、左右方向の収まりがよい。また、変形例３として図１１に示されるように、底板６ｃの主底部６０ｃの左右端において段状を成さず、水平な板状を成していてもよい。これによれば、底板６ｃの主底部６０ｃがキャスタ７の取付け部と略同一の高さであるため、例えば凹凸の多い床面において、筐体２の底面が床面に擦れることを防止できる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、移動式収納ボックス１は、スーパーやコンビニエンスストア等に用いられる商品陳列什器１０の下部空間に格納されると説明したが、これに限らず、住宅用什器や台所まわり等において利用されてもよい。
【００４０】
また、筐体２は上面が開口した箱状であると説明したが、これに限らず、開口した面に対して開閉・着脱可能な蓋を取り付けてもよい。
【００４１】
また、前面板３は取っ手３１を有すると説明したが、これに限らず、例えば前面板に適当な寸法・形状の孔を形成し、該孔を取っ手代わりにしてもよい。
【００４２】
また、側面板４は係止片４２を有すると説明したが、これに限らず、なくてもよい。
【００４３】
また、側面板４のフランジ片４１と、底板６の水平片６２とは、逆止爪４３を係着孔６３に係着固定させることで前後方向の位置決めをすると説明したが、これに限らず、例えばフランジ片と水平片とに所定の箇所に凹凸加工を施し、形成された凹部に凸部を嵌め入れることで位置決めしてもよい。
【００４４】
また、底板６は背規制片６５及び背段部６６を有すると説明したが、これに限らず、なくてもよい。
【００４５】
また、重合部９は筐体２の左右に構成されると説明したが、これに限らず前後であってもよい。
【００４６】
また、重合部９及びキャスタ７は同一のリベット８によって固定されると説明したが、これに限らず、同一のボルトによる締結や、溶接固定であってもよい。
【００４７】
また、前面板３の取っ手３１、側面板４のフランジ片４１、係止片４２、底板６の垂直片６１、水平片６２、背規制片６５、背段部６６、一体化した側面板４，４及び後面板５について折曲げ加工により構成されていると説明したが、これに限らず、プレス加工でもよい。
【００４８】
また、キャスタ７は移動式収納ボックス１において４つ備えられていると説明したが、これに限らず４以外の個数でもよいし、車輪の代わりに球体を有するボールキャスタ等を使用してもよい。
【符号の説明】
【００４９】
１                移動式収納ボックス
２                筐体
３                前面板
４                側面板（立設板）
５                後面板
６                底板
７                キャスタ（キャスタ装置）
８                リベット（固定手段）
９                重合部
１０              商品陳列什器
４１              フランジ片
４２              係止片
４３              逆止爪（位置決め手段）
６０              主底部
６１              垂直片
６２              水平片
６３              係着孔（位置決め手段）
６５              背規制片
６６              背段部
【図１】
2020022582.tif 000003
【図２】
2020022582.tif 000004
【図３】
2020022582.tif 000005
【図４】
2020022582.tif 000006
【図５】
2020022582.tif 000007
【図６】
2020022582.tif 000008
【図７】
2020022582.tif 000009
【図８】
2020022582.tif 000010
【図９】
2020022582.tif 000011
【図１０】
2020022582.tif 000012
【図１１】
2020022582.tif 000013